(57)【要約】【課題】ディスクに大きな衝撃が加わった場合でも、イジェクト不良を起こすことのないディスク装置を提供する。【解決手段】ディスク装置２０は、トレイ２２に載置されたディスクを回転する回転駆動機構３３と、ディスクから情報を再生し又は前記ディスクに情報を記録する光学装置３２と、これらを支持すると共に、ディスクに対して接離動可能にチルトするメカシャーシと３１、メカシャーシ３１に接続され、上方に向けて突出し頭部に第１の係合部７１が形成された押動ピン４９を有すると共に、左右方向にスライドするスライド部材４８と、トレイ２２の下面側に形成され、押動ピン４９を摺動可能に収容し、トレイ２２の突出入動作によって押動ピン４９を左右に押動すると共に、第１の係合部７１と係合する第２の係合部７２を有するガイド部５７とを備える。【選択図】        図２
2004280918.tif 000002
【特許請求の範囲】
【請求項１】
トレイに載置されたディスクを回転する回転駆動機構と、
前記ディスクから情報を再生し又は前記ディスクに情報を記録する光学装置と、
これらを支持すると共に、前記ディスクに対して接離動可能にチルトするメカシャーシと、
該メカシャーシに接続され、左右方向にスライドするスライド部材とを備え、
前記スライド部材は、上方に向けて突出し、頭部に第１の係合部が形成された押動ピンを有し、
前記トレイは、前記押動ピンを摺動可能に収容し、トレイの突出入動作によって前記押動ピンを左右に押動し、前記第１の係合部と係合する第２の係合部を有するガイド部を備えたことを特徴とするディスク装置。
【請求項２】
前記第１の係合部は、断面がＴ字状又は逆Ｌ字状に形成されることを特徴とする請求項１記載のディスク装置。
【請求項３】
前記ガイド部は、前記第１の係合部を押圧する押圧リブを有することを特徴とする請求項１又は請求項２記載のディスク装置。
【請求項４】
前記押圧リブは、前記第１の係合部を側面又は下面から押圧することを特徴とする請求項３記載のディスク装置。
【発明の詳細な説明】
【０００１】
【発明の属する技術分野】
本発明は、トレイが突出入可能に設けられたディスク装置に関する。
【０００２】
【従来の技術】
従来、ディスク装置のトレイにはガイド溝が設けられており、スライド部材に設けられた押動ピンを収納する構造となっている（特許文献１）。図８は、特許文献１に記載された従来のディスク装置のガイド溝を説明するための図であり、トレイ下面の要部を拡大して示している。
【０００３】
図８に示すように、トレイ１２２に形成されたガイド溝１５８に、押動ピン１４９がガイドされる。このガイド溝１５８を介して、押動ピン１４９が移動することにより、スライド部材（図示省略）を左右にスライドさせて、メカシャーシをチルトさせるようにしている。
【０００４】
図９は、図８のＢ−Ｂ断面図である。図９に示すように、押動ピン１４９は、スライド部材１４８から上方に向けて突出するように設けられている。また、トレイ１２２には、押動ピン１４９をガイドするためのガイド溝１５９が形成されている。トレイ１２２に形成されたガイド溝１５８に、押動ピン１４９がガイドされ、押動ピン１４９がガイド溝１５８を移動することにより、スライド部材を左右にスライドさせて、メカシャーシをチルトさせるようにしていた。
【０００５】
【特許文献１】
特開平２００２−３６７２６４号公報
【発明が解決しようとする課題】
しかしながら、従来のディスク装置は、ガイド溝１５８に押動ピン１４９がガイドされているだけの構造であるため、ディスク装置に大きな衝撃が加わった際に押動ピン１４９がガイド溝１５８から外れてしまい、イジェクト不良を起こしてしまうという問題があった。
【０００６】
そこで、本発明は上記従来技術の問題点を解決し、ディスクに大きな衝撃が加わった場合でも、イジェクト不良を起こすことのないディスク装置を提供することを目的とする。
【０００７】
【課題を解決するための手段】
上記課題を解決するために、請求項１記載のディスク装置は、トレイに載置されたディスクを回転する回転駆動機構と、前記ディスクから情報を再生し又は前記ディスクに情報を記録する光学装置と、これらを支持すると共に、前記ディスクに対して接離動可能にチルトするメカシャーシと、該メカシャーシに接続され、左右方向にスライドするスライド部材とを備え、前記スライド部材は、上方に向けて突出し、頭部に第１の係合部が形成された押動ピンを有し、前記トレイは、前記押動ピンを摺動可能に収容し、トレイの突出入動作によって前記押動ピンを左右に押動し、前記第１の係合部と係合する第２の係合部を有するガイド部を備えたことを特徴とする。
【０００８】
請求項１記載の発明によれば、スライド部材の押動ピンは、第１の係合部を有し、ガイド部は、第１の係合部と係合する第２の係合部を有するので、トレイの突出入動作によって、第１の係合部は、第２の係合部に係合され、押動ピンがガイド部から外れることを確実に防止することができる。これにより、トレイのイジェクト不良を防止できる。
【０００９】
また、本発明は、請求項２に記載のように、請求項１記載のディスク装置において、前記第１の係合部は、断面がＴ字状又は逆Ｌ字状に形成されることを特徴とする。請求項２記載の発明によれば、第１の係合部は、断面がＴ字状又は逆Ｌ字状に形成されるので、金型成形の場合に都合が良い。
【００１０】
また、本発明は、請求項３に記載のように、請求項１又は請求項２記載のディスク装置において、前記ガイド部は、前記第１の係合部を押圧する押圧リブを有することを特徴とする。請求項３記載の発明によれば、第１の係合部を押圧する押圧リブを有するので、押動ピンに与圧を持たせることができ、スライド部材と、トレイに発生する振動を抑えることができる。これにより、振動により発生する騒音を抑制できる。
【００１１】
また、本発明は、請求項４に記載のように、請求項３記載のディスク装置において、前記押圧リブは、前記第１の係合部を側面又は下面から押圧することを特徴とする。
【００１２】
【発明の実施の形態】
以下、本発明を適用した実施の形態について、図面を参照しながら説明する。図１は、トレイが開いた状態のディスク装置の外観斜視図である。図２は、ディスク装置の内部構成を示す図である。このディスク装置２０は、ＣＤやＤＶＤなどの光ディスクを再生したり記憶したりするための装置である。ディスクドライブ装置２０は、本体２１に、ディスクを載置するトレイ２２が突出入するように設けられている。
【００１３】
本体２１前面に設けられている符号２４は再生ボタン、符号２５はイジェクトボタン、符号２６はボリューム、符号２７は再生時等に点灯するインジケータ、符号２８はヘッドホン等を差し込むジャックである。図２において、トレイ２２については、正面部分以外は省略して図示している。
【００１４】
ディスク装置２０は、本体２１内に金属製のメカシャーシ３１が設けられている。メカシャーシ３１は、ディスクを回転させるスピンドルモータ３０や、ディスクに記録されたデータを読み取る光ピックアップ３２を有する。スピンドルモータ３０の回転軸には、ディスクを載置するターンテーブル３３が設けられている。光ピックアップ３２は、２本のガイドシャフト３４に沿って駆動モータ３６によって移動する。スピンドルモータ３１が回転駆動機構に、光ピックアップ３２が光学装置に相当する。
【００１５】
メカシャーシ３１は、後端部３１ｂを支点として前端部３１ａが上下動するチルト機構を有している。メカシャーシ３１は、トレイ２２が本体内に収納された際に、チルト機構により下方からトレイ２２へ近接してターンテーブル３３とチャッキングプーリ（図示省略）との間でディスクを挟み込むように動作する。このようにメカシャーシ３１のチルトによりディスクがクランプされてディスクの記録・再生が行われる。
【００１６】
トレイ２２が本体２１から突出する際には、トレイ２２からディスクが取り出せるように、メカシャーシ３１がチルトしてトレイ２２から下降する。この動作によりディスクのクランプが解除される。
【００１７】
図２において、符号４８は、スライド部材である。このスライド部材４８は、メカシャーシ３１の前端部３１ａにおいて、メカシャーシ３１に対して左右方向にスライド可能に設けられている。スライド部材４８の左右方向へのスライド移動は、トレイ２２の突出入動作に伴って、トレイ２２により駆動される。
【００１８】
つまり、スライド部材４８の上面には、上方に突出する押動ピン４９が形成され、この押動ピン４９がトレイ２２の下面に形成されているガイド部５７（図３参照）内に摺動可能に収納されている。トレイ２２の突出入によってガイド部５７に沿って押動ピン４９が左右に移動して、スライド部材４８が左右にスライドする。図４において、符号４９は押動ピン、符号７１、８１、９１は後述する第１の係合部、符号７２、８２、９２は第２の係合部を示している。
【００１９】
次に、トレイ２２の下面に形成されたガイド部について説明する。図３は、トレイの下面を示す図である。また、図４は図３に示すＰ部における拡大図である。図３に示すように、ガイド部５７は、ガイド溝５８を有し、トレイ２２の下面において、トレイ２２の下方から上方に向けて突出している押動ピン４９を収納することができる程度の幅に形成された溝であって、トレイ２２の突出入方向に沿って延びる縦部５９と、横方向に延びる横部６０と、横部６０と縦部５９とを連結している斜め部６１とからなる。
【００２０】
つまり、ガイド溝５８は、上述したようにメカシャーシ３１をチルトさせるスライド部材４８を左右にスライドさせるために、スライド部材４８の押動ピン４９が挿入され、押動ピン４９を左右に押動させるものである。
【００２１】
次に、図４のＡ−Ａ断面図について説明する。図５は、図４のＡ−Ａ断面図の一例を示している。図５に示すように、スライド部材４８は、上方に向けて突出し頭部に第１の係合部７１が形成された押動ピン４９を有する。図５の例では、この第１の係合部７１は、断面がＴ字状に形成されている。トレイ２２の下面側には、ガイド部５７が形成されている。ガイド部５７には、ガイド溝５８が形成されている。
【００２２】
ガイド部５７は、押動ピン４９を摺動可能に収容し、トレイ２２の突出入動作によって押動ピン４９を左右に押動する。ガイド部５７は、第１の係合部７１と係合する第２の係合部７２を有する。このように、スライド部材４８の押動ピン４９は、第１の係合部７１を有し、ガイド部５７は、第１の係合部７１と係合する第２の係合部７２を有するので、第１の係合部７１は、第２の係合部７２に係合され、押動ピン４９がガイド部５７から外れることを確実に防止することができる。これにより、トレイのイジェクト不良を防止できる。
【００２３】
次に、トレイの動作と、押動ピンの動き、それに基づくメカシャーシのチルトについて説明する。トレイ２２が収納されているとき、押動ピン４９は横部６０に位置している（図３の位置Ａ）。トレイ２２が前方に突出していくと、押動ピン４９はガイド溝５８に沿って斜め部６１内に移動する（位置Ｂ）。横部６０から斜め部６１に押動ピン４９が移動することによって、スライド部材４８が左右にスライド移動してメカシャーシ３１が下降する。
【００２４】
さらに、トレイ２２が前方に突出していくと、押動ピン４９は縦部５９内に移動する（位置Ｃ）。縦部５９内の押動ピン４９は、左右方向にはこれ以上移動することがないので、メカシャーシ３１はトレイ２２の突出が終了するまで、前端部３１ａが下降したままの状態である。
【００２５】
一方、突出していたトレイ２２を収納させていく場合、まず押動ピン４９は縦部５９内に位置しており、メカシャーシ３１は前端部３１ａが下降したままの状態である。さらに、トレイ２２が収納していくと、押動ピン４９は斜め部６１内に移動し、徐々に左右方向に移動していく。これによって、スライド部材４８が徐々に左右方向に移動してメカシャーシ３１は前端部３１ａが徐々に上昇するように移動する。
【００２６】
さらに、トレイ２２が収納されて収納位置で停止すると、押動ピン４９は横部６０に位置し、メカシャーシ３１の前端部３１ａは完全に上昇してディスクをクランプする位置で停止する。
【００２７】
上記構成により、押動ピン４９がガイド部５７を移動しているときには、第１の係合部７１は、第２の係合部７２に係合されているため、押動ピン４９がガイド部５７から外れることを確実に防止することができる。これにより、トレイのイジェクト不良を防止できる。
【００２８】
次に、他の構成例について説明する。図６は、図４のＡ−Ａ断面図の他の構成例を示している。図６に示すように、スライド部材４８は、上方に向けて突出し頭部に第１の係合部８１が形成された押動ピン４９を有する。図６の例では、この第１の係合部８１は、断面がＴ字状に形成されている。
【００２９】
また、トレイ２２の下面側には、ガイド部５７が形成されている。ガイド部５７には、ガイド溝５８が形成されている。ガイド部５７は、押動ピン４９を摺動可能に収容し、トレイ２２の突出入動作によって押動ピン４９を左右に押動する。ガイド部５７は、第１の係合部８１と係合する第２の係合部８２を有する。
【００３０】
このように、スライド部材４８の押動ピン４９は、第１の係合部８２を有し、ガイド部５７は、第１の係合部８１と係合する第２の係合部８１を有するので、第１の係合部８１は、第２の係合部８２に係合され、押動ピン４９がガイド部５７から外れることを確実に防止することができる。これにより、トレイのイジェクト不良を防止できる。
【００３１】
また、ガイド部５７は、第１の係合部８１を押圧する押圧リブ８３、８４を有する。図６の例では、押圧リブ８３、８４は、第１の係合部８１を側面から押圧している。このように、ガイド部５７は、第１の係合部８１を押圧する押圧リブ８３、８４を有するので、押動ピン４９に与圧を持たせることができ、スライド部材４８と、トレイ２２に発生する振動を抑えることができる。これにより、振動により発生する騒音を抑制することができる。
【００３２】
図７は、図４のＡ−Ａ断面図のさらに他の例を示している。次に、他の構成例について説明する。図７は、図４のＡ−Ａ断面図のさらに別の構成例を示している。図７に示すように、スライド部材４８は、上方に向けて突出し頭部に第１の係合部９１が形成された押動ピン４９を有する。図７に示す例では、この第１の係合部９１は、断面がＴ字状に形成されている。
【００３３】
トレイ２２の下面側には、ガイド部５７が形成されている。ガイド部５７には、ガイド溝５８が形成されている。ガイド部５７は、押動ピン４９を摺動可能に収容し、トレイ２２の突出入動作によって押動ピン４９を左右に押動する。ガイド部５７は、第１の係合部９１と係合する第２の係合部９２を有する。
【００３４】
このように、スライド部材４８の押動ピン４９は、第１の係合部９１を有し、ガイド部５７は、第１の係合部９１と係合する第２の係合部９２を有するので、第１の係合部９１は、第２の係合部９２に係合され、押動ピン４９がガイド部５７から外れることを確実に防止することができる。これにより、トレイのイジェクト不良を防止できる。
【００３５】
また、ガイド部５７は、第１の係合部９１を押圧する押圧リブ９３、９４を有する。図７に示す例では、押圧リブ９３、９４は、第１の係合部９１を下面から押圧している。ガイド部５７は、第１の係合部９１を押圧する押圧リブ９３、９４を有するので、押動ピン４９に与圧を持たせることができ、スライド部材４８と、トレイ２２に発生する振動を抑えることができる。これにより、振動により発生する騒音を抑制することができる。
【００３６】
上記本実施の形態によれば、スライド部材４８の押動ピン４９は、第１の係合部７１、８１、９１を有し、ガイド部５７は、第１の係合部７１、８１、９１と係合する第２の係合部７２、８２、９２を有するので、第１の係合部７１、８１、９１は、第２の係合部７２、８２、９２に係合され、押動ピン４９がガイド部５７から外れることを確実に防止することができる。これにより、トレイ２２のイジェクト不良を防止できる。また、鉤型断面でありながらも、金型は従来通りのスライドの無い型で形成することもできる。
【００３７】
また、第１の係合部７１、８１、９１は、断面がＴ字状又は逆Ｌ字状に形成されるようにすることにより、金型成形の場合に都合が良い。なお、図５、図６及び図７では、第１の係合部は断面がＴ字状に形成される場合を例にとって説明しているが、これには限定されることなく、例えば断面を上述の通り逆Ｌ字状に形成するようにしても良い。この場合、第２の係合部は第１の係合部の形状に従って形成される。なお、第１の係合部は、ひっかかりがあれば良く、断面がＩ字状でなければよい。
【００３８】
また、ガイド部５７は、第１の係合部を押圧する押圧リブを有するので、押動ピン４９に与圧を持たせることができ、スライド部材４８と、トレイ２２に発生する振動を抑えることができる。これにより、振動により発生する騒音を抑制できる。
【００３９】
以上、本発明の一実施の形態を説明した。本発明は上記実施の形態に限定されるものではなく、本発明の要旨の範囲内において種々の変形実施が可能である。
【００４０】
【発明の効果】
以上説明した本発明によれば、ディスクに大きな衝撃が加わった場合でも、イジェクト不良を起こすことのないディスク装置を提供することができる。
【図面の簡単な説明】
【図１】トレイが開いた状態のディスク装置の外観斜視図である。
【図２】ディスク装置の内部構成を示す図である。
【図３】トレイの下面を示す図である。
【図４】図３のＰ部における拡大図である。
【図５】図４のＡ−Ａ断面図の一例である。
【図６】図４のＡ−Ａ断面図の他の構成例を示している。
【図７】図４のＡ−Ａ断面図の他の構成例を示している。
【図８】従来のトレイ下面の要部拡大図である。
【図９】従来の押動ピンとガイド溝の構造を説明するための図である。
【符号の説明】
２０  ディスク装置
２２  トレイ
３１  メカシャーシ
４８  スライド部材
４９  押動ピン
５７  ガイド部
５８  ガイド溝
７１、８１、９１  第１の係合部
７２、８２、９２  第２の係合部
８３、８４、９３、９４  押圧リブ
【図１】
2004280918.tif 000003
【図２】
2004280918.tif 000004
【図３】
2004280918.tif 000005
【図４】
2004280918.tif 000006
【図５】
2004280918.tif 000007
【図６】
2004280918.tif 000008
【図７】
2004280918.tif 000009
【図８】
2004280918.tif 000010
【図９】
2004280918.tif 000011